【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
固定子コア（３１）と、その固定子コアに巻装され、少なくとも３相の巻線部からなり各相の巻線部の一端が中性点（Ｎ１，Ｎ２）にて接続されている第１巻線（３３ａ）及び第２巻線（３３ｂ）と、を有する回転電機（１０）に適用され、その回転電機を駆動する駆動装置であって、
直流電源（６０）に接続され、前記第１巻線の相ごとに設けられた上アームスイッチ（４１）及び下アームスイッチ（４２）を開閉させることにより前記第１巻線の各相の通電を行わせる第１インバータ（４０）と、
前記直流電源に接続され、前記第２巻線の相ごとに設けられた上アームスイッチ（５１）及び下アームスイッチ（５２）を開閉させることにより前記第２巻線の各相の通電を行わせる第２インバータ（５０）と、
前記第１巻線の中性点と前記直流電源の低電位側とを接続する電流経路（４７）に設けられた第１切替スイッチ（４８）と、
前記第２巻線の中性点と前記直流電源の高電位側とを接続する電流経路（５７）に設けられた第２切替スイッチ（５８）と、
前記第１切替スイッチ及び前記第２切替スイッチを開放した状態で、前記第１インバータ及び前記第２インバータにおける上下アームの各スイッチを同じ通電期間でそれぞれ相補的に開閉させて、前記第１巻線及び前記第２巻線の通電を制御する第１通電制御部（６５）と、
前記第１切替スイッチ及び前記第２切替スイッチを閉鎖した状態で、前記第１インバータにおける上下アームの各スイッチのうち前記上アームスイッチと、前記第２インバータにおける上下アームの各スイッチのうち前記下アームスイッチとを、交互に定められた通電期間でそれぞれ開閉させて、前記第１巻線及び前記第２巻線の通電を制御する第２通電制御部（６５）と、
を備え、
前記第１インバータにおける前記上アームスイッチ及び前記下アームスイッチと、前記第２インバータにおける前記上アームスイッチ及び前記下アームスイッチとは、逆並列となる向きで接続された還流ダイオード（４３，４４，５３，５４）を有する半導体スイッチング素子（４１，４２，５１，５２）であり、
前記第１インバータは、前記第２通電制御部により前記第１インバータの前記上アームスイッチが開閉される状態から、前記第２インバータの前記下アームスイッチが開閉される状態に切り替えられる際に、前記第１インバータにおける前記下アームスイッチの前記還流ダイオードと前記第１巻線とを含む経路である還流経路（Ｒ１）を遮断する第１遮断部（４５，４２ａ，４２ｂ）を有し、
前記第２インバータは、前記第２通電制御部により前記第２インバータの前記下アームスイッチが開閉される状態から、前記第１インバータの前記上アームスイッチが開閉される状態に切り替えられる際に、前記第２インバータにおける前記上アームスイッチの前記還流ダイオードと前記第２巻線とを含む経路である還流経路（Ｒ２）を遮断する第２遮断部（５５，５１ａ，５１ｂ）を有する回転電機の駆動装置。
【請求項２】
前記第１遮断部として、前記第１インバータにおける上下アームの各スイッチの中間点と前記第１巻線の相ごとの前記巻線部とを接続する交流線に、該交流線を開閉する第１付加スイッチ（４５）を有し、
前記第２遮断部として、前記第２インバータにおける上下アームの各スイッチの中間点と前記第２巻線の相ごとの前記巻線部とを接続する交流線に、該交流線を開閉する第２付加スイッチ（５５）を有し、
前記第１通電制御部は、前記第１切替スイッチ及び前記第２切替スイッチを開状態にするとともに、前記第１付加スイッチ及び前記第２付加スイッチを閉状態とし、
前記第２通電制御部は、前記第１切替スイッチ及び前記第２切替スイッチを閉鎖した状態下で、前記第１インバータにおける前記上アームスイッチを開閉させる通電期間では、前記第１付加スイッチを閉状態、前記第２付加スイッチを開状態とし、前記第２インバータにおける前記下アームスイッチを開閉させる通電期間では、前記第１付加スイッチを開状態、前記第２付加スイッチを閉状態とする請求項１に記載の回転電機の駆動装置。
【請求項３】
前記第１インバータは、各相の前記下アームスイッチとして、互いに直列に接続され、かつ互いに逆向きに設けられた還流ダイオード（４４ａ，４４ｂ）を有する一対の半導体スイッチング素子（４２ａ，４２ｂ）を有し、
前記第２インバータは、各相の前記上アームスイッチとして、互いに直列に接続され、かつ互いに逆向きに設けられた還流ダイオード（５３ａ，５３ｂ）を有する一対の半導体スイッチング素子（５１ａ，５１ｂ）を有し、
前記第１インバータにおける前記一対の半導体スイッチング素子により前記第１遮断部が構成され、前記第２インバータにおける前記一対の半導体スイッチング素子により前記第２遮断部が構成されている請求項１に記載の回転電機の駆動装置。
【請求項４】
前記第１通電制御部は、前記第１巻線及び前記第２巻線の通電制御に際し、
前記第１インバータにおける前記一対の半導体スイッチング素子のうち一方の半導体スイッチング素子を、前記第１インバータにおける前記上アームスイッチに対して相補的に開閉させ、かつ他方の半導体スイッチング素子を閉状態で保持するとともに、
前記第２インバータにおける前記一対の半導体スイッチング素子のうち一方の半導体スイッチング素子を、前記第２インバータにおける前記下アームスイッチに対して相補的に開閉させ、かつ他方の半導体スイッチング素子を閉状態で保持する請求項３に記載の回転電機の駆動装置。
【請求項５】
固定子コア（３１）と、その固定子コアに巻装され、少なくとも３相の巻線部からなり各相の巻線部の一端が中性点（Ｎ１，Ｎ２）にて接続されている第１巻線（３３ａ）及び第２巻線（３３ｂ）と、を有する回転電機（１０）に適用され、その回転電機を駆動する駆動装置であって、
直流電源（６０）に接続され、前記第１巻線の相ごとに設けられた上アームスイッチ（４１）及び下アームスイッチ（４２）を開閉させることにより前記第１巻線の各相の通電を行わせる第１インバータ（４０）と、
前記直流電源に接続され、前記第２巻線の相ごとに設けられた上アームスイッチ（５１）及び下アームスイッチ（５２）を開閉させることにより前記第２巻線の各相の通電を行わせる第２インバータ（５０）と、
前記第１巻線の中性点と前記直流電源の低電位側とを接続する電流経路（４７）に設けられた第１切替スイッチ（４８）と、
前記第２巻線の中性点と前記直流電源の高電位側とを接続する電流経路（５７）に設けられた第２切替スイッチ（５８）と、
前記第１切替スイッチ及び前記第２切替スイッチを開放した状態で、前記第１インバータ及び前記第２インバータにおける上下アームの各スイッチを同じ通電期間でそれぞれ相補的に開閉させて、前記第１巻線及び前記第２巻線の通電を制御する第１通電制御部（６５）と、
前記第１切替スイッチ及び前記第２切替スイッチを閉鎖した状態で、前記第１インバータにおける上下アームの各スイッチのうち前記上アームスイッチと、前記第２インバータにおける上下アームの各スイッチのうち前記下アームスイッチとを、交互に定められた通電期間でそれぞれ開閉させて、前記第１巻線及び前記第２巻線の通電を制御する第２通電制御部（６５）と、
を備え、
前記第１インバータは、当該第１インバータの前記上アームスイッチとして、逆並列となる向きで接続された還流ダイオード（４３）を有する半導体スイッチング素子（４１）を有するとともに、前記下アームスイッチとして、互いに逆向きで並列接続された一対のＩＧＢＴ（４２ｃ，４２ｄ）を有し、
前記第２インバータは、当該第２インバータの前記下アームスイッチとして、逆並列となる向きで接続された還流ダイオード（５４）を有する半導体スイッチング素子（５２）を有するとともに、前記上アームスイッチとして、互いに逆向きに並列接続された一対のＩＧＢＴ（５１ｃ，５１ｄ）を有し、
前記第２通電制御部により前記第１インバータの前記上アームスイッチが開閉される状態から、前記第２インバータの前記下アームスイッチが開閉される状態に切り替えられる際に、前記第１インバータにおける前記下アームスイッチと前記第１巻線とを含む経路である還流経路を、当該下アームスイッチとして設けられた前記一対のＩＧＢＴにより遮断し、
前記第２通電制御部により前記第２インバータの前記下アームスイッチが開閉される状態から、前記第１インバータの前記上アームスイッチが開閉される状態に切り替えられる際に、前記第２インバータにおける前記上アームスイッチと前記第２巻線とを含む経路である還流経路を、当該上アームスイッチとして設けられた前記一対のＩＧＢＴにより遮断する回転電機の駆動装置。
【請求項６】
前記第１通電制御部は、前記第１巻線及び前記第２巻線の通電制御に際し、
前記第１インバータにおける前記一対のＩＧＢＴのうち一方のＩＧＢＴを、前記第１インバータにおける前記上アームスイッチに対して相補的に開閉させ、かつ他方のＩＧＢＴを閉状態で保持するとともに、
前記第２インバータにおける前記一対のＩＧＢＴのうち一方のＩＧＢＴを、前記第２インバータにおける前記下アームスイッチに対して相補的に開閉させ、かつ他方のＩＧＢＴを閉状態で保持する請求項５に記載の回転電機の駆動装置。
【請求項７】
前記第１通電制御部は、前記回転電機の低回転側の動作域で、前記第１切替スイッチ及び前記第２切替スイッチを開放した状態での前記各巻線の通電制御を実施し、
前記第２通電制御部は、前記回転電機の高回転側の動作域で、前記第１切替スイッチ及び前記第２切替スイッチを閉鎖した状態での前記各巻線の通電制御を実施する請求項１〜６のいずれか１項に記載の回転電機の駆動装置。
【請求項８】
前記第１巻線及び前記第２巻線は、ターン数が同じであり、かつ同相の導体が固定子コアの同一のスロット（３２）に収容されている請求項１〜７のいずれか１項に記載の回転電機の駆動装置。
【請求項９】
前記第１巻線及び前記第２巻線は、平角断面形状の導体により構成されている請求項８に記載の回転電機の駆動装置。